【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
電子制御装置に設けられる円筒状の電子部品を保持する電子部品ホルダであって、
拡縮可能に形成され前記電子部品を収容して前記電子部品の外周面を挟持するクリップ部と、
前記クリップ部に係止して前記電子部品の前記外周面からの前記クリップ部の離間を規制する規制部と、を備え、
前記クリップ部は、前記電子部品の中心軸を挟んで両側に設けられる複数の爪部を有し、
前記爪部は、
前記電子部品の前記外周面に接触する接触部が形成される腕部と、
前記接触部から形成され前記電子部品の前記外周面から離間する突起部と、を有し、
前記規制部は、前記クリップ部を収縮させる方向に前記突起部を案内しながら押圧するテーパ部を有することを特徴とする電子部品ホルダ。
【請求項２】
前記規制部は、前記接触部を支点として前記突起部を押圧することを特徴とする請求項１に記載の電子部品ホルダ。
【請求項３】
中心軸が互いに平行に並ぶ複数の前記電子部品を保持する電子部品ホルダであって、
前記複数の爪部は、前記電子部品の中心軸を挟んで一方側に設けられる第１爪部と、他方側に設けられる第２爪部と、を有し、
前記第１爪部と前記第２爪部とは、互いに前記中心軸方向にずれて配置されることを特徴とする請求項１または２に記載の電子部品ホルダ。
【請求項４】
互いに着脱可能に構成される第１部材と第２部材とをさらに備え、
前記クリップ部は、前記第１部材に設けられ、
前記規制部は、前記第２部材に設けられることを特徴とする請求項１から３のいずれか一つに記載の電子部品ホルダ。
【請求項５】
中心軸が互いに平行に並ぶ複数の前記電子部品を保持する電子部品ホルダであって、
それぞれ前記電子部品を保持する複数のホルダ部を備え、
前記ホルダ部は、
前記クリップ部と、
前記規制部と、
前記規制部と共に前記第２部材に設けられ、前記第１部材と前記第２部材とが装着された状態で前記電子部品に当接する当接部と、を有し、
前記当接部は、隣接する他の前記ホルダ部における前記クリップ部の前記爪部に対して前記電子部品の軸方向における位置が同一であって、軸方向に垂直方向において当該爪部と連続して設けられることを特徴とする請求項４に記載の電子部品ホルダ。
【請求項６】
前記第１部材は、樹脂材によって形成される被覆部によって端子が覆われるバスバーユニットであり、
前記クリップ部は、前記樹脂材によって前記被覆部と一体に形成されることを特徴とする請求項４または５に記載の電子部品ホルダ。
【請求項７】
前記第１部材と前記第２部材とを係合させて両者の取り外しを規制する固定部をさらに備えることを特徴とする請求項４から６のいずれか一つに記載の電子部品ホルダ。
【請求項８】
前記第１部材に設けられる係止孔と、
前記電子部品の前記外周面に形成される窪み部と前記係止孔とにわたって係止され前記第１部材に対して前記電子部品を軸方向に位置決めする係止部と、をさらに備え、
前記係止部は、流動性を有し時間経過に伴い硬化する熱可塑性材料であることを特徴とする請求項４から７のいずれか一つに記載の電子部品ホルダ。
【請求項９】
前記爪部の前記接触部は、前記電子部品の前記外周面に形成される窪み部に係合することを特徴とする請求項１から８のいずれか一つに記載の電子部品ホルダ。
【手続補正２】
【補正対象書類名】明細書
【補正対象項目名】０００７
【補正方法】変更
【補正の内容】
【０００７】
第１の発明は、電子制御装置に設けられる円筒状の電子部品を保持する電子部品ホルダであって、拡縮可能に形成され電子部品を収容して電子部品の外周面を挟持するクリップ部と、クリップ部に係止して外周面からのクリップ部の離間を規制する規制部と、を備え、クリップ部は、電子部品の中心軸を挟んで両側に設けられる複数の爪部を有し、爪部は、電子部品の外周面に接触する接触部が形成される腕部と、接触部から形成され電子部品の外周面から離間する突起部と、を有し、規制部は、クリップ部を収縮させる方向に突起部を案内しながら押圧するテーパ部を有することを特徴とする。
【手続補正３】
【補正対象書類名】明細書
【補正対象項目名】０００８
【補正方法】変更
【補正の内容】
【０００８】
第１の発明では、クリップ部が電子部品の本体を挟持し、規制部が電子部品とクリップ部との離間を防止するため、電子部品の外周面の接着性を問わず、電子部品を固定することができる。また、電子部品の外径が異なる場合であっても、突起部が規制部によって押圧されるため、確実に接触部を電子部品の外周面に接触させることができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第２の発明は、規制部が、接触部を支点として突起部を押圧することを特徴とする。
【手続補正７】
【補正対象書類名】明細書
【補正対象項目名】００１２
【補正方法】変更
【補正の内容】
【００１２】
第２の発明では、規制部により接触部と電子部品との離間を規制する力のモーメントアーム長さをより長くすることができる。したがって、より確実にクリップ部による挟持の解除を防止することができる。
【手続補正８】
【補正対象書類名】明細書
【補正対象項目名】００１３
【補正方法】変更
【補正の内容】
【００１３】
第３の発明は、中心軸が互いに平行に並ぶ複数の電子部品を保持する電子部品ホルダであって、複数の爪部は、電子部品の中心軸を挟んで一方側に設けられる第１爪部と、他方側に設けられる第２爪部と、を有し、第１爪部と第２爪部とは、互いに中心軸方向にずれて配置されることを特徴とする。
【手続補正９】
【補正対象書類名】明細書
【補正対象項目名】００１４
【補正方法】変更
【補正の内容】
【００１４】
第３の発明では、隣接する電子部品の間隔を第１爪部及び第２爪部の一つ分の厚さとすることができる。したがって、電子部品ホルダを省スペース化することができる。
【手続補正１０】
【補正対象書類名】明細書
【補正対象項目名】００１５
【補正方法】変更
【補正の内容】
【００１５】
第４の発明は、互いに着脱可能に構成される第１部材と第２部材とをさらに備え、クリップ部は第１部材に設けられ、規制部は第２部材に設けられることを特徴とする。
【手続補正１１】
【補正対象書類名】明細書
【補正対象項目名】００１６
【補正方法】変更
【補正の内容】
【００１６】
第５の発明は、中心軸が互いに平行に並ぶ複数の前記電子部品を保持する電子部品ホルダであって、それぞれ電子部品を保持する複数のホルダ部を備え、ホルダ部は、クリップ部と、規制部と、規制部と共に第２部材に設けられ、第１部材と第２部材とが装着された状態で電子部品に当接する当接部と、を有し、当接部は、隣接する他のホルダ部におけるクリップ部の爪部に対して電子部品の軸方向における位置が同一であって、軸方向に垂直方向において当該爪部と連続して設けられることを特徴とする。
【手続補正１２】
【補正対象書類名】明細書
【補正対象項目名】００１７
【補正方法】変更
【補正の内容】
【００１７】
第５の発明では、当接部が電子部品に当接することにより、着脱方向への電子部品の移動がより確実に防止される。
【手続補正１３】
【補正対象書類名】明細書
【補正対象項目名】００１８
【補正方法】変更
【補正の内容】
【００１８】
第６の発明は、第１部材が、樹脂材によって形成される被覆部によってバスバーが覆われるバスバーユニットであり、クリップ部は、樹脂材によって被覆部と一体に形成されることを特徴とする。
【手続補正１４】
【補正対象書類名】明細書
【補正対象項目名】００１９
【補正方法】変更
【補正の内容】
【００１９】
第６の発明によれば、被覆部と一体形成されるため、クリップ部を容易に形成することができ、製造コストが低下する。
【手続補正１５】
【補正対象書類名】明細書
【補正対象項目名】００２０
【補正方法】変更
【補正の内容】
【００２０】
第７の発明は、第１部材と第２部材とを係合させて両者の取り外しを規制する固定部をさらに備えることを特徴とする。
【手続補正１６】
【補正対象書類名】明細書
【補正対象項目名】００２１
【補正方法】変更
【補正の内容】
【００２１】
第７の発明によれば、固定部により第１部材と第２部材との取り外しが規制されるため、規制部とクリップ部との係止が解除されることが防止される。
【手続補正１７】
【補正対象書類名】明細書
【補正対象項目名】００２２
【補正方法】変更
【補正の内容】
【００２２】
第８の発明は、第１部材に設けられる係止孔と、電子部品の外周面に形成される窪み部と係止孔とにわたって係止され第１部材に対して電子部品を軸方向に位置決めする係止部と、をさらに備え、係止部は、流動性を有し時間経過に伴い硬化する熱可塑性材料であることを特徴とする。
【手続補正１８】
【補正対象書類名】明細書
【補正対象項目名】００２３
【補正方法】変更
【補正の内容】
【００２３】
第８の発明では、電子部品の軸方向の移動を規制するクリップ部の力が充分でない場合であっても、係止部によって電子部品を軸方向に位置決めできる。
【手続補正１９】
【補正対象書類名】明細書
【補正対象項目名】００２４
【補正方法】変更
【補正の内容】
【００２４】
第９の発明は、爪部における接触部は、電子部品の外周面に形成される窪み部に係合することを特徴とする。
【手続補正２０】
【補正対象書類名】明細書
【補正対象項目名】００２５
【補正方法】変更
【補正の内容】
【００２５】
第９の発明によれば、爪部と窪み部とが係合するため、電子部品の軸方向の移動を規制することができる。